(57)【要約】      （修正有）【課題】移動通信ノード用の通信を支援することに関し、特に、移動通信ノードによって使用されるようなプロトコル以外の通信プロトコルを通常使用する通信ネットワークを介して通信を支援する。【解決手段】非モバイル・インターネット・プロトコル・バージョン６を使用する移動ノードは、第１のネットワーク要素（パケット・データ供給ノードのような）と、第２のネットワーク要素（ホーム・エージェントのような）との間で確立されるようなカプセル化トンネルを介してモバイル・インターネット・プロトコル・バージョン４のインフラストラクチャーを通じて通信する。拡張子および／またはコードは、たとえば、これらの目的のためのバージョン６からバージョン４へのトンネルの自動確立を促進するモバイル・インターネット・プロトコル・バージョン４の登録要求／応答を介して伝送する。【選択図】      図１
2006148921.tif 000002
【特許請求の範囲】
【請求項１】
移動通信ノードとの通信を支援するように、第１の通信プロトコルと、１つの一時的に割り当て可能な第１のアドレスの少なくとも一部とを使用する通信ネットワークを提供すること、
前記第１の通信プロトコルとは異なる第２の通信プロトコルを使用して前記ネットワークを介した通信を促進するように求めるメッセージであって、前記第２の通信プロトコルを使用して移動通信ノードによって供給されるメッセージを第１のネットワーク要素で受信すること、
前記通信を支援するように前記移動通信ノードによる使用に対して割り当てられた一時的なアドレスを提供するために、前記一時的に割り当て可能な第１のアドレスの少なくとも一部を自動的に割り当てること、
前記通信ネットワーク内で、前記割り当てられた一時的なアドレスの少なくとも一部を検知し、前記通信を促進することによって自動的にそれに応答することを含み、
前記移動通信ノードは、前記第２の通信プロトコルを使用し、前記ネットワークの少なくとも一部は、前記第１の通信プロトコルを使用して通信する方法。
【請求項２】
前記第１の通信プロトコルを使用する通信ネットワークを提供することは、モバイル・インターネット・プロトコル・バージョン４を含む第１の通信プロトコルを使用する通信ネットワークを提供することをさらに含んでいる請求項１記載の方法。
【請求項３】
前記第１の通信プロトコルと少なくとも１つの一時的に割り当て可能な第１のアドレスとを使用する通信ネットワークを提供することは、モバイル・インターネット・プロトコル・バージョン４の一時的に割り当て可能な第１のアドレスを含む少なくとも１つの一時的に割り当て可能な第１のアドレスを使用する通信ネットワークを提供することをさらに含んでいる請求項２記載の方法。
【請求項４】
前期第２の通信プロトコルを使用して前記ネットワークを介した通信を促進するように求めるメッセージを第１のネットワーク要素で受信することは、非モバイル・インターネット・プロトコル・バージョン６を含む第２の通信プロトコルを使用して前記ネットワークを介した通信を促進するように求めるメッセージを第１のネットワーク要素で受信することをさらに含んでいる請求項３記載の方法。
【請求項５】
前記第１のネットワーク要素で受信することは、パケット・データ供給ノードで受信することをさらに含んでいる請求項１記載の方法。
【請求項６】
前記ネットワークを介した通信を促進するように求めるメッセージを第１のネットワーク要素で受信することは、２点間プロトコル・メッセージを第１のネットワーク要素で受信することをさらに含んでいる請求項１記載の方法。
【請求項７】
前記ネットワークを介した通信を促進するように求めるメッセージを第１のネットワーク要素で受信することは、少なくとも１つの非モバイル・インターネット・プロトコル・バージョン６のメッセージを第１のネットワーク要素で受信することをさらに含んでいる請求項６記載の方法。
【請求項８】
前記割り当てられた一時的なアドレスを提供するために、前記１つの一時的に割り当て可能な第１のアドレスの少なくとも一部を自動的に割り当てることは、アドレス・プリフィックスを提供することをさらに含んでいる請求項１記載の方法。
【請求項９】
前記アドレス・プリフィックスを提供することは、メッセージの拡張子部分におけるアドレス・プリフィックスを提供することをさらに含んでいる請求項８記載の方法。
【請求項１０】
前記拡張子部分は、モバイル・インターネット・プロトコル・バージョン４の登録応答メッセージのベンダー固有の拡張子部分を含んでいる請求項９記載の方法。
【請求項１１】
前記通信ネットワーク内で前記割り当てられた一時的なアドレスの少なくとも一部を検知すること、および、前記通信を促進することによって自動的にそれに応答することは、前記第１のネットワーク要素で前記割り当てられた一時的なアドレスの一部を検知することをさらに含んでいる請求項１記載の方法。
【請求項１２】
前記第１のネットワーク要素は、パケット・データ供給ノードを含んでいる請求項１１記載の方法。
【請求項１３】
前記第１のネットワーク要素で前記割り当てられた一時的なアドレスの一部を検知することは、ベンダー固有の拡張子部分を検知することをさらに含んでいる請求項１１記載の方法。
【請求項１４】
前記通信ネットワーク内で前記割り当てられた一時的なアドレスの少なくとも一部を検知すること、および、前記通信を促進することによって自動的にそれに応答することは、第２の通信プロトコルのチャネルを支援する第１の通信プロトコルのリンクを自動的に確立することをさらに含んでいる請求項１記載の方法。
【請求項１５】
前記第２の通信プロトコルのチャネルを支援する第１の通信プロトコルのリンクを自動的に確立することは、非モバイル・インターネット・プロトコル・バージョン６のチャネルをカプセル化するモバイル・インターネット・プロトコル・バージョン４のトンネルを自動的に確立することをさらに含んでいる請求項１４記載の方法。
【請求項１６】
前記少なくとも１つの一時的に割り当て可能な第１のアドレスを自動的に割り当てることは、前記通信ネットワークにおけるホーム・エージェント要素で、前記少なくとも１つの一時的に割り当て可能な第１のアドレスを自動的に割り当てることをさらに含んでいる請求項１記載の方法。
【請求項１７】
前記通信を支援するように前記移動通信ノードによる使用に対して割り当てられた一時的なアドレスを提供する前記１つの一時的に割り当て可能な第１のアドレスの少なくとも一部を自動的に割り当てることは、認証要素、許可要素、および課金要素からメッセージを受信することをさらに含んでおり、前記メッセージは、前記１つの一時的に割り当て可能な第１のアドレスの少なくとも一部の自動割り当てを促進する作用をなす請求項１記載の方法。
【請求項１８】
前記メッセージは、少なくとも一部が、ホーム・エージェントと通信を開始する指示を含んでいる請求項１７記載の方法。
【請求項１９】
前記ホーム・エージェントにモバイル・インターネット・プロトコル・バージョン４の登録要求を送信し、これによって、前記移動通信ノード用の6to4プリフィックスの割り付けを促進することをさらに含んでいる請求項１８記載の方法。
【請求項２０】
第１のネットワーク要素での使用のための方法であって、
ネットワークによって使用される第２の通信プロトコルとは異なる第１の通信プロトコルを使用して前記ネットワークを介した通信を促進するように求めるメッセージであって、前記第１の通信プロトコルを使用して移動通信ノードによって供給されるメッセージを受信すること、
前記通信を支援するときに、前記移動通信ノードに使用する一時的なアドレスの少なくとも一部を得るために別のネットワーク要素に通信を供給すること、
完全なアドレスの少なくとも一部を含む割り当てられたアドレスの内容を受信すること、
前記第２の通信プロトコルを使用して前記通信を促進することによって前記割り当てられたアドレスの内容に自動的に応答することを含み、
前記移動通信ノードは、前記第１の通信プロトコルを使用して通信する方法。
【請求項２１】
前記第１のネットワーク要素は、パケット・データ供給ノードを含んでいる請求項２０記載の方法。
【請求項２２】
前記別のネットワーク要素は、ホーム・エージェントを含んでいる請求項２１記載の方法。
【請求項２３】
前記第１の通信プロトコルは、非モバイル・インターネット・プロトコル・バージョン６を含んでいる請求項２０記載の方法。
【請求項２４】
前記第２の通信プロトコルは、モバイル・インターネット・プロトコル・バージョン４を含んでいる請求項２３記載の方法。
【請求項２５】
前記通信を支援するときに、前記移動通信ノードに使用する少なくとも１つの一時的なアドレスを得るために別のネットワーク要素に通信を供給することは、インタフェース識別子を含んでいるモバイル・インターネット・プロトコル・バージョン４の登録要求メッセージを供給することをさらに含んでいる請求項２３記載の方法。
【請求項２６】
前記割り当てられたアドレスの内容を受信することは、前記登録要求メッセージに応じて、前記移動通信ノードを支援するために使用される一時的に割り当てられたアドレスの少なくとも一部を含むモバイル・インターネット・プロトコル・バージョン４の登録応答メッセージを受信することをさらに含んでいる請求項２５記載の方法。
【請求項２７】
前記一時的に割り当てられたアドレスの少なくとも一部は、アドレス・プリフィックスを含んでいる請求項２６記載の方法。
【請求項２８】
前記一時的に割り当てられたアドレスの少なくとも一部は、所定の応答を示すベンダー固有の属性をさらに含んでいる請求項２７記載の方法。
【請求項２９】
前記所定の応答は、前記第２の通信プロトコルを使用して前記通信を促進することを含んでおり、前記移動通信ノードは、第１の通信プロトコルのチャネルを支援する第２の通信プロトコルのリンクを自動的に確立することによって、前記第１の通信プロトコルを使用して通信する請求項２８記載の方法。
【請求項３０】
前記第１の通信プロトコルのチャネルを支援する第２の通信プロトコルのリンクを自動的に確立することは、非モバイル・インターネット・プロトコル・バージョン６のチャネルをカプセル化するモバイル・インターネット・プロトコル・バージョン４のトンネルを自動的に確立することを含んでいる請求項２９記載の方法。
【請求項３１】
認証要素、許可要素、および課金要素からメッセージを受信することをさらに含み、前記メッセージは、前記通信を支援するときに、前記移動通信ノードに使用する一時的なアドレスの少なくとも一部を得るために別のネットワーク要素に前記通信を供給する指示を含んでいる請求項２０記載の方法。
【請求項３２】
第１のネットワーク要素での使用のための方法であって、
一時的なアドレスの少なくとも一部を提供すること、
第１の通信プロトコルを使用してネットワークを介した通信を促進するように求めるメッセージであって、前記第１の通信プロトコルとは異なる第２の通信プロトコルを使用して移動通信ノードによってもたらされるメッセージを受信すること、
前記通信を支援するように前記移動通信ノードによる使用に対して割り当てられた一時的なアドレス部分を提供するために、一時的なアドレスの少なくとも一部を自動的に割り当てること、
前記通信を促進するように別のネットワーク要素に指示するために、前記割り当てられた一時的なアドレス部分をコードと組み合わせることを含み、
前記移動通信ノードは、前記第１の通信プロトコルを使用し、前記別のネットワーク要素は、前記第２の通信プロトコルを使用して通信する方法。
【請求項３３】
前記一時的なアドレスの少なくとも一部を提供することは、アドレス・プリフィックスを提供することをさらに含んでいる請求項３２記載の方法。
【請求項３４】
前記アドレス・プリフィックスを提供することは、モバイル・インターネット・プロトコル・バージョン４のアドレス・プリフィックスの拡張子を提供することをさらに含んでいる請求項３３記載の方法。
【請求項３５】
前記メッセージを受信することは、別のネットワーク要素を介してメッセージを受信することをさらに含んでいる請求項３２記載の方法。
【請求項３６】
前記別のネットワーク要素を介してメッセージを受信することは、パケット・データ供給ノードを介してメッセージを受信することをさらに含んでいる請求項３５記載の方法。
【請求項３７】
前記割り当てられた一時的なアドレス部分をコードと組み合わせることは、前記割り当てられた一時的なアドレス部分に対する拡張子として、少なくとも１つのベンダー固有の属性部分内に前記コードを配置することをさらに含んでいる請求項３２記載の方法。
【請求項３８】
第１の通信プロトコルを使用してネットワークを介した通信を促進するように求めるメッセージであって、前記第１の通信プロトコルとは異なる第２の通信プロトコルを使用して移動通信ノードによってもたらされるメッセージを受信すること、
モバイル・インターネット・プロトコル・バージョン４を使用してネットワークを介した通信を促進するように求めるメッセージであって、非モバイル・インターネット・プロトコル・バージョン６を使用して移動通信ノードによってもたらされるメッセージを受信すること、
前記通信を促進するように別のネットワーク要素に指示するために前記割り当てられた一時的なアドレス部分をコードと組み合わせることは、前記通信を促進するように別のネットワーク要素に指示するために前記割り当てられた一時的なアドレス部分をコードと組み合わせることをさらに含み、
前記移動通信ノードは、前記第１の通信プロトコルを使用し、前記第１のネットワーク要素は、前記第２の通信プロトコルを使用して通信し、
前記移動通信ノードは、非モバイル・インターネット・プロトコル・バージョン６を使用し、前記第１のネットワーク要素は、モバイル・インターネット・プロトコル・バージョン４を使用して通信する請求項３２記載の方法。
【発明の詳細な説明】
【技術分野】
【０００１】
本発明は、概して、移動通信ノード用の通信を支援することに関し、特に、移動通信ノードによって使用されるようなプロトコル以外の通信プロトコルを通常使用する通信ネットワークを介して通信を支援することに関する。
【背景技術】
【０００２】
インターネット・プロトコル（ＩＰ）は、本質的にいかなる客観的な基準に対しても大きな成功を収めてきた。ＩＰに基づいたプラットフォームおよび通信は、相対的な遍在性および機能性の両方に関して成長し続ける。不運にも、この成長および拡張は、対応するプロトコルに時折変更を加えずには可能ではなかった。たとえば、多くのニーズおよび要求（特に、拡張された割り付け可能なアドレス資源のニーズを含む）は、いわゆるインターネット・プロトコル・バージョン４からインターネット・プロトコル・バージョン６に導いた。しかしながら、インターネット・プロトコル・バージョン６は、一振りで、インターネット・プロトコル・バージョン４に完全に取って代わったというわけではない。
【０００３】
既存の導入された巨大なインターネット・プロトコル・バージョン４の基盤は、インターネットの範囲と幅とがインターネット・プロトコル・バージョン６の保護を通じて拡大し続けても、ある相当な期間は恐らく存続する遺産を意味する。いわゆるバージョン６からバージョン４へのトンネリングのような、しかしこれに限定されるものではない様々な技術は、あるネットワーク通信を支援するときに、インターネット・プロトコル・バージョン４の要素とインターネット・プロトコル・バージョン６の要素との両方の互換使用を可能にするための架橋機構として作用する。
【０００４】
一方で、インターネット・プロトコルをさらに開発する努力は、引き続き衰えていない。１つの重要な例として、いわゆるモバイル・インターネット・プロトコル・バージョン６の要素が、移動通信プラットフォームの特異なニーズのうちのいくつか（たとえば、移動通信ノードによって示されたもっと興味深いアドレス割り付け問題を含む）をより促進するために、少なくとも部分的に提案されている。しかしながら、モバイル・インターネット・プロトコル・バージョン６の相当な見込みにも拘わらず、現在のところ、実施標準も、いかなる広く知られた方法で利用可能なプロトコルも存在していない。さらなる実施に対する抵抗は、多くの資源において存在するが、少なくとも１つの問題は、恐らく、（非モバイル）インターネット・プロトコル・バージョン６と、モバイル・インターネット・プロトコル・バージョン４との両方を含んでいる現実世界にモバイル・インターネット・プロトコル・バージョン６を導入する（あるいは、強いる）際に直面する、起こり得る障害を含んでいる。
【０００５】
したがって、かなりの難問が存在する。一方では、モバイル・インターネット・プロトコル・バージョン６の必要性および能力は、日々大きくなっている。他方では、非モバイル・インターネット・プロトコル・バージョン６を介するインターネットの継続した同時拡張は、インターネット・プロトコル・バージョン４（モバイル・インターネット・プロトコル・バージョン４を含む）の継続的な粘り強さと共に、モバイル・インターネット・プロトコル・バージョン６の成功した立上げに対してかつて無いほど強制的な障害を含んでいる。
【発明の開示】
【０００６】
概して言えば、これらの様々な実施の形態に準じて、第１のネットワーク要素（パケット・データ供給ノードのようなものであるが、これに限定されるものではない）は、通信ネットワークを介して通信を促進するように求める移動通信ノードからメッセージを受信する。通信ネットワークは、第１の通信プロトコル（モバイル・インターネット・プロトコル・バージョン４のようなものであるが、これに限定されるものではない）を通常は使用する。その一方で、移動通信ノードは、第２の、異なる通信プロトコル（インターネット・プロトコル・バージョン６のようなものであるが、これに限定されるものではない）を使用する。そのように構成されて、第１のネットワーク要素によって受信されるようなメッセージは、第２の通信プロトコル・メッセージを含んでいる。
【０００７】
その後、一時的に割り当て可能な第１のアドレスの少なくとも一部（モバイル・インターネット・プロトコル・バージョン４の一時的に割り当て可能な第１のアドレスのようなものであるが、これに限定されるものではない）は、（たとえば、移動通信ノード用のホーム・エージェント（これに限定されるものではないが）によって）移動通信ノードによる使用に対して自動的に割り当てられる。通信ネットワーク（たとえば、第１のネットワーク要素を介して）は、割り当てられた一時的なアドレスの少なくとも一部の検知の際に、希望する通信を促進することによって自動的に応答し、ここで、移動通信ノードは、第２の通信プロトコルを使用し、通信ネットワークの少なくとも一部は、第１の通信プロトコルを使用して通信する。
【０００８】
そのように構成されて、たとえば、インターネット・プロトコル・バージョン６の移動ノードは、少なくとも部分的に、モバイル・インターネット・プロトコル・バージョン４の要素を含んでいる通信ネットワークを介して矛盾無く成功裡に通信することができる。これらの教示は、実際には、より詳細に下に示されるように、既存の機能と、6to4トンネリングおよびモバイル・インターネット・プロトコル・バージョン４のようなツールとを使用して、一種のプロキシ・モバイル・インターネット・プロトコル・バージョン６の機能性を提供する。
【発明を実施するための最良の形態】
【０００９】
これらのおよび他の利点は、次の詳細な説明の綿密な検討および研究をする際にさらに明白になり得る。
【００１０】
上記の必要性は、次の詳細な説明に記述された通信ネットワークにおける多通信プロトコルの使用を促進する方法の展望を、特に、図面と共に検討されたときに、少なくとも部分的に満たされる。
【００１１】
当業者は、図中の要素が単純さと明瞭さのために例示され、必ずしも計るために描かれてはいないことを認識するであろう。たとえば、図中の要素のうちのいくつかの寸法は、本発明の様々な実施の形態についての理解向上を支援するために、他の要素に比べて誇張されているかも知れない。さらに、商業上実現可能な実施の形態において有用または必要である、共通であるが良く理解された要素は、しばしば、本発明のこれらの様々な実施の形態のより障害の少ない図を容易化するためには描かれていない。さらに、ここで使用される用語および表現が、他の特定の意味がここに述べられていない限り、質問および研究の対応するそれぞれの分野の当業者によってそのような用語および表現に通常与えられるような通常の意味を有しているとは理解されるであろう。
【００１２】
さて、図面を、特に図１を参照して、一般的なプロセス10は、移動通信ノードとの通信を支援するように、第１の通信プロトコルと、１つの一時的に割り当て可能な第１のアドレスの少なくとも一部とを使用する通信ネットワークを提供する（ステップ11）。第１の通信プロトコルは、好ましい実施の形態においては、当該技術分野で知られているようなモバイル・インターネット・プロトコル・バージョン４を含んでいる。したがって、またこの好ましい実施の形態においては、一時的に割り当て可能な第１のアドレスは、モバイル・インターネット・プロトコル・バージョン４の一時的に割り当て可能な第１のアドレスを含んでいる。この通信ネットワークは、典型的には、対象となる移動通信ノードと互換性をもって相互運用される無線アクセス・ネットワークを構成する様々な他の要素およびノードをさらに含んでいるであろう。そのような他の要素およびノードは、一般に当該技術分野においてよく理解されており、必要に応じて下に述べられるような特定の要点に加えてそれ以上の詳述をここでは必要としない。
【００１３】
このプロセス10は、第１のネットワーク要素（通信ネットワークの一部を含むような）で、第１の通信プロトコルとは異なる第２の通信プロトコルを使用した通信ネットワークを介した通信を促進するように求めるメッセージを受信することをさらに提供する（ステップ12）。そのメッセージは、第２の通信プロトコルを使用する移動通信ノードによって供給される。第１のネットワーク要素の識別性は、与えられたネットワークの要求およびあるいは機能に応じて変わることができ、また、恐らく変わるべきであるが、たとえば、パケット・データ供給ノードを含むことが可能である。好ましい本実施の形態において、第２の通信プロトコルは、非モバイル・インターネット・プロトコル・バージョン６（つまり、現在標準化され、利用可能であるようなインターネット・プロトコル・バージョン６）を含んでいる。そのように構成および配置され、前述のメッセージは、少なくとも１つの非モバイル・インターネット・プロトコル・バージョン６のメッセージを含むことができ、そして、したがって、２点間プロトコル・メッセージ（当該技術分野で一般によく理解されているようなメッセージ構造を備えている）を含むことが可能である。
【００１４】
その後、このプロセス10は、通信を支援する移動通信ノードによる使用に対して割り当てられた一時的なアドレスを提供するために、１つの一時的に割り当て可能な第１のアドレスの少なくとも一部を自動的に割り当てることを提供する（ステップ13）。この割り当ては、たとえば、通信ネットワークの一部を構成しているようなホーム・エージェント要素によって促進することができる。（もし望まれれば、この割り当ては、対応する認証要素、許可要素、および課金要素からのメッセージ（そのようなホーム・エージェントと通信を開始する第１のネットワーク要素への指示を含んでいる第１のネットワーク要素によって受信されたメッセージのような）の受信をさらに含むことができる。そのメッセージは、一時的に割り当て可能な第１のアドレスの自動割り当てを促進する作用をなす。）
割り当てられた一時的なアドレスを提供する一時的に割り当て可能な第１のアドレスの少なくとも一部を自動的に割り当てるこのステップは、好ましいアプローチにおいては、アドレス・プリフィックスの提供を含んでいる。１つの例示としてであるが、第１のネットワーク要素は、ホーム・エージェントにモバイル・インターネット・プロトコル・バージョン４の登録要求を送信することができ、これによって、希望の通信を支援する際に移動通信ノードによる使用のための6to4プリフィックスの割り付けを促進する。その後、ホーム・エージェントは、アドレス・プリフィックスを含んでいるモバイル・インターネット・プロトコル・バージョン４の登録応答メッセージと共に応答することができる。たとえば、また、図３を一時的に参照して、登録要求31は、ベンダー固有の拡張子部分32（その拡張子は、実施する標準に適合される）を使用させることができる。拡張子部分32は、ホーム・エージェントへの指示あるいは表示を含んでおり、したがって、このアドレス・プリフィックスを提供する。
【００１５】
図１を再び参照して、プロセス10、その後、割り当てられた一時的なアドレスの少なくとも一部を検知する際に（ステップ14）、通信ネットワーク内で、通信を促進することによって自動的に応答することを提供する。ここで、移動通信ノードは、第２の通信プロトコルを使用し、ネットワークの少なくとも一部は、第１の通信プロトコルを使用して通信する。そのような検知は、第１のネットワーク要素で生じるのが好ましいが、他のところでの検知もまた、これらの目的を果たすことができる。このような促進を例示するために、このプロセス10は、第２の通信プロトコルのチャネルを支援する第１の通信プロトコルのリンクを自動的に確立することを達成できる（たとえば、プロセス10は、非モバイル・インターネット・プロトコル・バージョン６のチャネルをカプセル化するモバイル・インターネット・プロトコル・バージョン４のトンネルを確立することができる（そうでなければ当該技術分野で理解されるように））。
【００１６】
そのように構成されて、非モバイル・インターネット・プロトコル・バージョン６を使用する移動通信ノードの移動通信の必要性は、モバイル・インターネット・プロトコル・バージョン４をそれ自体使用する通信ネットワークのその使用および信頼性にも拘わらず、少なくともいくらかのモバイル・インターネット・プロトコル・バージョン６のような利点を有効にを享受することができる。
【００１７】
前述したように、第１のネットワーク要素は、パケット・データ供給ノードを含むことができる。そのような要素は、当該技術分野でよく知られており、これらの教示に従うように容易に構成することができる、完全にあるいは少なくとも部分的にプログラム可能なプラットフォームをしばしば含んでいる。図２を参照して、対応するプロセス20がこれから記述されるであろう。
【００１８】
このプロセス20に準じて、パケット・データ供給ノードは、モバイル・インターネット・プロトコル・バージョン４のような通信プロトコルを使用するネットワークを介した通信を促進するように求めるメッセージを受信することができる（ステップ21）。このメッセージは、たとえば、示されたメッセージを伝送するために使用されているこの後者のプロトコルを備えた非モバイル・インターネット・プロトコル・バージョン６のような異なる通信プロトコルを使用する移動通信ノードによって供給される。
【００１９】
その後、このプロセス20に準じて、パケット・データ供給ノードは、要求された通信を支援するときに、移動通信ノードに使用する一時的なアドレスの少なくとも一部（アドレス・プリフィックスのようなもの）を得るために、認証要素、許可要素、および課金要素のような別のネットワーク要素に通信を供給する（ステップ22）。（もし望まれれば、このメッセージは、パケット・データ供給ノードと、認証要素、許可要素、および課金要素との間の交換を指示することができる。課金要素は、一時的なアドレス情報を得るのに指定されたネットワーク要素への前述の通信を供給するためにパケット・データ供給ノードに指示する認証要素、許可要素、および課金要素からのメッセージについての受信を、パケット・データ供給ノードによって導く。）この他のネットワーク要素は、たとえば、ホーム・エージェントを含むことができる。供給された通信は、前に注記したように、インタフェース識別子を含んでいるモバイル・インターネット・プロトコル・バージョン４の登録要求メッセージを含むことができる。もし望まれれば、この登録要求は、たとえば、求められている所定の応答の種類を示すベンダー固有の属性（つまり、非モバイル・インターネット・プロトコル・バージョン６を使用している移動通信ノードを支持する一時的なアドレス情報の条件）を含むことができる。
【００２０】
その後、パケット・データ供給ノードは、完全なアドレスの少なくとも一部を含む割り当てられたアドレスの内容を受信する（ステップ23）。再び、これは、典型的にはアドレス・プリフィックスを含んでいるであろう。この割り当てられたアドレスの内容は、たとえば、モバイル・インターネット・プロトコル・バージョン４の登録応答メッセージのような登録応答メッセージを介して伝送されることができる。より詳細には、アドレス・プリフィックスは、登録応答メッセージの拡張子部分内に含まれることができる。
【００２１】
その後、パケット・データ供給ノードは、要求された通信を自動的にを促進するためにこの一時的なアドレス情報を使用し、それによって、ネットワークは、ネットワークの通信プロトコルを使用して通信を支援する一方で、移動ノードは、それ自身のプロトコルを使用する（ステップ24）。これは、たとえば、移動ノード・プロトコルに基づいたチャネルを支援するネットワーク・プロトコルに基づいたリンクを自動的に確立するためにネットワークのプロトコルを使用することによって達成することができる。１つの適切な例示として、モバイル・インターネット・プロトコル・バージョン４のトンネルは、非モバイル・インターネット・プロトコル・バージョン６のチャネルをカプセル化するために使用されることができる。
【００２２】
さて、図４を参照して、好ましい配置におけるホーム・エージェントの役割に関してのある詳細が示されるであろう。
【００２３】
この好ましいプロセス40によって、ホーム・エージェントは、少なくとも一時的なアドレスの一部を提供する（ステップ41）。より典型的には、ホーム・エージェントは、インターネット・プロトコル・バージョン６の通信を支援するために使用されることができる割り付け可能なモバイル・インターネット・プロトコル・バージョン４のアドレス・プリフィックスの拡張子のプールを提供するであろう。その後、１つの移動通信につき１つの通信プロトコルを使用してネットワークを介した通信を促進するように求める（たとえば、パケット・データ供給ノードからの）メッセージを受信する際（ステップ42）、それ自体が、異なる通信プロトコルを使用し、ホーム・エージェントは、示されたプールからの一時的なアドレス部分の１つを自動的に割り当てる（ステップ43）ことによって応答することができる。もし望まれれば、この応答は、そのような割り当てられた一時的なアドレス情報を、移動通信ノードがその通信プロトコル（つまり、この例においては、非モバイル・インターネット・プロトコル・バージョン６）を使用して通信する一方、ネットワーク要素がそれ自身対応するネットワーク・プロトコル（つまり、この例においては、モバイル・インターネット・プロトコル・バージョン４）を使用し続ける方法で、通信を促進するように受信ネットワーク要素（この例示においては、パケット・データ供給ノードのような）に指示するコード（あるいは、複数のコード）と組み合わせること（ステップ44）をさらに含むことができる。そのような組み合わせは、たとえば、割り当てられた一時的なアドレス部分情報に拡張子としてのコードを提供することを含むことができる。他のアプローチもまた必要に応じて利用されることが可能である。
【００２４】
さて、図５を参照して、実例が提供されるであろう。当業者は、この例が非包括的な実例を含んでおり、そして、これらの教示が他の有用な方法および背景で容易に使用することができることを容易に認識するであろう。
【００２５】
与えられたネットワークを介して通信を確立するように求めるときには、非モバイル・インターネット・プロトコル・バージョン６の移動ノードは、リンク制御プロトコル手順（ステップ50）において、当該技術分野で一般によく理解されているようなパケット・データ供給ノードと接続する。この交換中に、パケット・データ供給ノードは、対応する認証要素、許可要素、および課金要素と相互作用し、ここで、後者は、移動ノードの要求を本質的に承認するためにパケット・データ供給ノードに認証メッセージを与える（ステップ51）。前に注記したように、もし望まれればあるいは必要に応じて、この認証メッセージは、ホーム・エージェントと次に記述された作用を達成させるようにパケット・データ供給ノードを導くさらに詳細な指示および／または特定のホーム・エージェントのアドレスを含むことができる。
【００２６】
その後、移動ノードおよびパケット・データ供給ノードは、非モバイル・インターネット・プロトコル・バージョン６のメッセージ送信に接続し（ステップ52）、ここで、前者は、リンク・ローカルのアドレスと交渉するために先行技術の慣行にしたがって求める。その後、パケット・データ供給ノードは、移動ノードのインタフェース識別子を含んでいるモバイル・インターネット・プロトコル・バージョン４の登録要求メッセージを構築し（ステップ53）、その登録要求メッセージをホーム・エージェントに送信することができる。その後、この例において、ホーム・エージェントは、十分に確立されている先行技術の慣行と一致するそのようなプリフィックスのプールから6to4プリフィックスを割り当て（ステップ54）、パケット・データ供給ノードに割り当てられた6to4プリフィックスを含んでいるモバイル・インターネット・プロトコル・バージョン４の登録応答メッセージを送信する（ステップ55）。（さらに、このメッセージは、もし望まれれば、下に記述された6to4トンネルの自動確立を指示するコードを含むことが可能である。）その後、ネットワークが一般にこの割り当てに気付き、これによってそれに続くデータを移動ノード（再び現行の慣行と一致する）に転送することを促進するように、ホーム・エージェントは、ネイバー・ディスカバリ・プロセス（ステップ56）を実施することができる。
【００２７】
この例において、その後、パケット・データ供給ノードは、移動ノードにこの6to4プリフィックスの割り付けを達成させるためにルータ・ディスカバリ手順（ステップ57）を使用する。その後、パケット・データ供給ノードおよび移動ノードは、移動ノードのインターネット・プロトコル・バージョン６のデータ・トラフィック（ステップ58）を促進するために、それら自身の間に6to4トンネルを確立する（ステップ59）。
【００２８】
そのように構成され、既存のインターネット・プロトコル・バージョン４のインフラストラクチャーの相当な再使用は、依然として実行可能且つ有用である。同時に、移動ノードは、それらがモバイル・インターネット・プロトコル・バージョン６を実行する能力がない場合でさえ、モバイル・インターネット・プロトコル・バージョン６と類似の処理およびアクセスを受信することが可能である。
【００２９】
当業者は、本発明の精神および範疇から逸脱せずに、上に記述された実施の形態に対して種々様々な修正、変更、および組み合わせを行なうことができ、そして、そのような修正、変更、および組み合わせが本発明の概念の範囲内にあるものとして見做されることを認識するであろう。
【図面の簡単な説明】
【００３０】
【図１】本発明の様々な実施の形態にしたがって構成されるようなフロー図を示している。
【図２】本発明の様々な実施の形態にしたがって構成されるようなフロー図を示している。
【図３】図３は、本発明の様々な実施の形態にしたがって構成されるような登録要求の概要図を示している。
【図４】図４は、本発明の様々な実施の形態にしたがって構成されるようなフロー図を示している。
【図５】図５は、本発明の様々な実施の形態にしたがって構成されるような信号フロー図を示している。
【符号の説明】
【００３１】
10，20，40  プロセス
31  登録要求
32  拡張子部分
【図１】
2006148921.tif 000003
【図２】
2006148921.tif 000004
【図３】
2006148921.tif 000005
【図４】
2006148921.tif 000006
【図５】
2006148921.tif 000007